(57)【特許請求の範囲】
【請求項１】
タービンエンジンに付属された少なくとも１つの装置を駆動するためにタービンエンジンに固定されるギアボックスであって、ギアボックスは、
筐体と、
タービンエンジンのラジアルシャフトと係合することが可能な動力取出部材（１）と、
筐体の中に位置し、装置の少なくとも１つの回転シャフトに動力取出部材（１）の回転運動を伝達することが可能な、１つの運動連鎖（８）であって、運動連鎖（８）は第一末端（１２）および第二末端（１３）を備える、運動連鎖（８）と、
を備え、
動力取出部材（１）が運動連鎖（８）の中に位置する収束軸を有する歯車によって運動連鎖（８）に連結されており、
前記運動連鎖（８）が、２つの末端（１２、１３）を有する少なくとも１つの中央シャフト（１０）からなり、前記中央シャフト（１０）は、少なくとも１つの中間歯車（９）を通じて装置の少なくとも１つの回転シャフト（１１）に動力取出部材（１）の運動を伝達することが可能であり、動力取出部材（１）は、中央シャフト（１０）の第一末端（１２）と第二末端（１３）との間に位置する収束軸を有する歯車によって、中央シャフト（１０）に連結されており、
中央シャフト（１０）の第一末端（１２）と第二末端（１３）との間に位置する収束軸を有する歯車は、収束軸を有する第一歯車と、収束軸を有する第二歯車とからなり、
中央シャフト（１０）は、第一部品（１５）および第二部品（１６）からなり、
動力取出部材（１）は、収束軸を有する第一歯車によって中央シャフト（１０）の第一部品（１５）に、および収束軸を有する第二歯車によって中央シャフト（１０）の第二部品（１６）に連結されていることを特徴とする、ギアボックス。
【請求項２】
収束軸を有する第一歯車が、収束軸を有する第二歯車とは異なる減速比を呈する、請求項１に記載のギアボックス。
【請求項３】
タービンエンジンに付属された少なくとも１つの装置を駆動するためにタービンエンジンに固定されるギアボックスであって、ギアボックスは、
１つの筐体と、
タービンエンジンのラジアルシャフトと係合することが可能な１つの動力取出部材（１）と、
筐体の中に位置し、装置の少なくとも１つの回転シャフトに動力取出部材（１）の回転運動を伝達することが可能な、２つの運動連鎖（２、３）であって、運動連鎖（２、３）は第一末端（４、５）および第二末端（６、７）を備える、２つの運動連鎖（２、３）と、
を備え、
動力取出部材（１）は、運動連鎖の中に位置する収束軸を有する歯車によって運動連鎖（２、３）に連結されており、
前記ギアボックスは２つの運動連鎖（２、３）を備え、各運動連鎖（２、３）が、装置の少なくとも１つの回転シャフトに動力取出部材（１）の回転運動を伝達することが可能であり、各運動連鎖（２、３）は第一末端（４、５）および第二末端（６、７）を備え、動力取出部材（１）は、各運動連鎖（２、３）の第一末端（４、５）および第二末端（６、７）の間に位置する収束軸を有する歯車によって、各運動連鎖（２、３）に連結されている、ギアボックス。
【請求項４】
収束軸を有する２つの歯車が異なる減速比を呈する、請求項３に記載のギアボックス。
【請求項５】
請求項１から４のいずれか一項に記載のギアボックスを備えるタービンエンジン。
【請求項６】
タービンエンジンが高圧シャフトを備え、動力取出部材は高圧シャフトに連結されている、請求項５に記載のタービンエンジン。
【請求項７】
低圧シャフトをさらに備え、動力取出部材が低圧シャフトに連結されている、請求項５に記載のタービンエンジン。
【請求項８】
中間シャフトをさらに備え、動力取出部材が中間シャフトに連結されている、請求項５に記載のタービンエンジン。
【発明の詳細な説明】
【技術分野】
【０００１】
本発明は、補機ギアボックスまたはＡＧＢとも呼ばれる、タービンエンジン用装置を駆動するためのギアボックスに関する。このような補機ギアボックスは、タービンエンジンから出るラジアルシャフトを通じてタービンエンジンから生じる運動を伝達し、ポンプ、発電機など、タービンエンジンに付属の装置の様々な補機またはアイテムにこれを伝達するように意図されており、これらはタービンエンジンの動作にとって、またはこのタービンエンジンによって推進される航空機の機材のその他のアイテムにとって、必須である。補機ギアボックスはまた、始動段階の間に装置からエンジンに動力を伝達させる。伝達は、連続歯車からなる運動連鎖によって実現される。
【背景技術】
【０００２】
仏国特許出願公開第１２５８１９６号明細書は、タービンエンジンに付属された少なくとも１つの装置を駆動するために、タービンエンジンに固定されるギアボックスを記載している。このギアボックスは、図１により詳細に示されている。これは、
タービンエンジンのラジアルシャフトと係合するように意図される動力取出部材１と、
筐体４４と、
筐体の中に位置する２つの運動連鎖２、３と、
を備える。各運動連鎖２、３は、互いに連結した歯車を備える。各歯車は、装置の回転シャフトが回転するように、これを駆動させる。２つの運動連鎖２、３は、非平行平面内に位置する。動力取出部材１は、前記運動連鎖の末端４、５のうちの１つにおいて、各運動連鎖と接続している。
【０００３】
仏国特許出願公開第１３５９９１０号明細書は、タービンエンジンに付属された少なくとも１つの装置を駆動するために、タービンエンジンに固定される別のタイプのギアボックスを記載している。このギアボックスは、
タービンエンジンのラジアルシャフトと係合するように意図される動力取出部材と、
筐体と、
筐体の中に位置する運動連鎖と、
を備える。運動連鎖は、装置の少なくとも１つの回転シャフトが回転するように、回転シャフトにおいて駆動可能な少なくとも１つの歯車に動力取出部材の運動を伝達する中央シャフトを備える。動力取出部材は、中央シャフトの末端のうちの１つにおいて、中央シャフトに接続されている。
【０００４】
しかしながら、これら２つの実施形態において、動力取出は制限されており、これはタービンエンジンのすべてのシャフト上で実現されるとは限らない。
【先行技術文献】
【特許文献】
【０００５】
【特許文献１】仏国特許出願公開第１２５８１９６号明細書
【特許文献２】仏国特許出願公開第１３５９９１０号明細書
【発明の概要】
【発明が解決しようとする課題】
【０００６】
本発明の目的は、特にタービンエンジンの高圧シャフト上で、その低圧シャフト上で、またはその中間シャフト上で、動力取出を実現可能にすることによって、動力取出の実現する上でより高い自由度を提供するタービン機械に付属された少なくとも１つの装置を駆動するために、タービン機械に固定されるギアボックスを提案することによって、従来技術の不都合を克服することである。
【課題を解決するための手段】
【０００７】
これを実現するために、本発明の第一の態様によれば、タービンエンジンに付属された少なくとも１つの装置を駆動するためにタービンエンジンに固定されるギアボックスが提供され、ギアボックスは、
筐体と、
タービンエンジンのラジアルシャフトと係合することが可能な動力取出部材と、
装置の少なくとも１つの回転シャフトに動力取出部材の回転運動を伝達することが可能な筐体の中に位置する少なくとも１つの運動連鎖であって、運動連鎖は第一末端および第二末端を備え、動力取出部材は運動連鎖の中に位置する収束軸を有する歯車によって運動連鎖に連結されている、少なくとも１つの運動連鎖と、
を備える。
【０００８】
このため、本発明は、運動連鎖の一端では動力取出部材はもはや運動連鎖に連結されず、厳密に運動連鎖の２つの末端の間の一点で連結されることを、提案する。動力取出部材が運動連鎖の中に移動させられるという事実は、タービンエンジンシャフト上の動力取出を実現するための自由度、したがってギアボックスの実装の自由度を、高めることを可能にする。具体的には航空機動力取出は、今やインターコンプレッサ筐体領域内ではなく、たとえば中間シャフト上、またはタービンと燃焼チャンバとの間、または圧縮機とタービンとの間など、別のエンジンシャフト位置において実現されることが可能である。
【０００９】
ギアボックスはまた、個別に、または技術的に可能なすべての組み合わせにしたがって解釈される、以下の特徴の１つ以上を呈してもよい。
【００１０】
「コラムギアボックス」として知られる第一の実施形態によれば、運動連鎖は、少なくとも１つの中間歯車を通じて装置の少なくとも１つの回転シャフトに動力取出部材の運動を伝達することが可能な少なくとも１つの中央シャフトを備え、中央シャフトは２つの末端を備え、動力取出部材は、中央シャフトの第一末端と第二末端との間に位置する収束軸を有する歯車によって、中央シャフトに連結されている。このためこの実施形態において、動力取出部材の運動は中央シャフトを通じて装置の回転シャフトに伝達されるが、これは空間を縮小し、ギアボックスのレイアウトの自由度を高めることを可能とする。
【００１１】
有利なことに、動力取出部材は、中央シャフトのものとともに割線を形成する方向に沿って延在する。
【００１２】
有利なことに、中央シャフトは第一および第二部品を備え、動力取出部材は収束軸を有する第一歯車によって第一部品に連結され、収束軸を有する第二歯車によって第二部品に連結されている。これは、この場合の動力取出部材の移動が、中央シャフトを互いに独立して中央シャフトに連結される２つの部品に分割させることを、意味する。
【００１３】
この場合、収束軸を有する第一歯車は好ましくは、中央シャフトの２つの部品が異なる速度で回転するように、収束軸を有する第二歯車とは異なる減速比を呈する。このため低速装置は中央シャフトの２つの部品のうちの１つに連結されてもよく、その一方で高速装置は中央シャフトの他方の部品に連結されて、運動連鎖を最適化させる。
【００１４】
「Ｖギアボックス」として知られる第二の実施形態によれば、ギアボックスは２つの運動連鎖を備え、各運動連鎖は動力取出部材の回転運動を装置の少なくとも１つの回転シャフトに伝達することが可能であり、各運動連鎖は第一末端および第二末端を備え、動力取出部材は、各運動連鎖の第一および第二末端の間に位置する収束軸を有する歯車によって、各運動連鎖に連結されている。
【００１５】
有利なことに、各運動連鎖は歯車列を備え、２つの歯車列は割線を形成する方向に延在している。
【００１６】
異なる実施形態によれば、収束軸を有する２つの歯車列は、異なるかまたは等しい減速比を呈してもよい。
【００１７】
本発明の第二の態様は、上記請求項の１つによるギアボックスを有するタービンエンジンに関する。
【００１８】
異なる実施形態によれば、
タービンエンジンは高圧シャフトを備え、動力取出部材は高圧シャフトに連結されており、
タービンエンジンは低圧シャフトを備え、動力取出部材は低圧シャフトに連結されており、
タービンエンジンは中間シャフトを備え、動力取出部材は中間シャフトに連結されており、
本発明のその他の特徴および利点は、以下の添付図面を参照して、後述の詳細な説明を読めば、明らかになる。
【図面の簡単な説明】
【００１９】
【図１】従来技術のギアボックスの概略斜視図である。
【図２】本発明の第一の実施形態によるギアボックスの概略斜視図である。
【図３】本発明の第二の実施形態によるギアボックスの概略斜視図である。
【図４】本発明の別の実施形態によるギアボックスの概略斜視図である。
【発明を実施するための形態】
【００２０】
明確さを改善するため、すべての図において、同一または類似の要素は同じ参照符号で指定される。
【００２１】
図２は、「Ｖギアボックス」として知られる本発明の一実施形態によるギアボックスを示す。ギアボックスは、
筐体４４と、
動力取出部材１と、
第一および第二運動連鎖２、３と、
を備える。各運動連鎖２、３は中間歯車列２２、２３を備える。各中間歯車列２２、２３は好ましくは、装置の回転シャフトが回転するように、これを駆動することが可能である。各運動連鎖２、３は、第一末端４、５および第二末端６、７を備える。
【００２２】
動力取出部材１が各運動連鎖とその末端の１つで連結している従来技術のギアボックスとは異なり、この実施形態では、動力取出部材１は、この運動連鎖の中に位置する領域１４において、各運動連鎖２、３に連結されている。言い換えると、領域１４は厳密に各運動連鎖２、３の２つの末端４、６と５、７との間に位置している。より正確には、動力取出部材１は好ましくは、運動連鎖の２つの中間歯車の間に挿入された、これらの中間歯車２２、２３のうちの１つにおいて、各運動連鎖に連結されている。動力取出部材１の位置もまた、連結されているタービンエンジンのラジアルシャフトに応じて選択されることが可能である。
【００２３】
動力取出部材１は好ましくは、収束軸を有する歯車２４によって、各運動連鎖に連結されている。一実施形態によれば、動力取出部材１を第一運動連鎖２に接合する収束軸を有する歯車２４は、動力取出部材１を第二運動連鎖３に連結するものとは異なる減速比を呈することができる。このため低速装置は２つの運動連鎖のうちの１つに接続されてもよく、その一方で高速装置は他方に接続される。
【００２４】
図３は、「コラムギアボックス」として知られる、本発明の別の実施形態によるギアボックスを示す。
【００２５】
この実施形態において、ギアボックスは、
筐体２５と、
動力取出部材１と、
運動連鎖８と、
を備える。
【００２６】
運動連鎖８は中間歯車９に連結された中央シャフト１０を備え、各中間歯車９はそれ自体が装置の回転シャフト１１に連結されている。中央シャフトは２つの末端１２、１３を備える。中央シャフト１０は、収束軸を有する歯車２６によって動力取出部材１に連結されている。このため動力取出部材１は、収束軸を有する歯車２６を通じて、その回転運動を中央シャフト１０に伝達する。中央シャフト１０は、中間歯車９を通じてその回転運動を回転シャフト１１に伝達する。一実施形態によれば、動力取出および装置歯車への伝達を実現するために、同じものが使用可能である。この場合、収束軸を有する歯車２６および中間歯車９は、全く同じ歯車である。
【００２７】
この実施形態によるギアボックスは、動力取出部材１が、従来技術の実施形態とは異なり、中央シャフト１０の末端１２にはもはや連結されておらず、中央シャフトの２つの末端１２、１３の間に位置する領域において中央シャフト１０に連結されているという点で、特に際立っている。より正確には、動力取出部材１は好ましくは、２つの中間歯車９の間に位置する領域１４において中央シャフト１０に連結されている。
【００２８】
図４を参照すると、中央シャフト１０はまた、互いに無関係に動力取出部材１に連結された２つの部品１５、１６で作られることも可能であり、中央シャフト１０の第一部品１５は収束軸を有する第一歯車２７によって動力取出部材１に連結され、中央シャフト１０の第二部品１６は収束軸を有する第二歯車２８によって動力取出部材に連結されている。２つの部品１５、１６は好ましくは揃えられている。収束軸を有する第一歯車２７は、中央シャフト１０の第一部品１５が第二部品１６とは異なる速度で回転するように、収束軸を有する第二歯車２８とは異なる減速比を呈してもよい。このため低速装置は２つの部品１５、１６のうちの１つに連結されてもよく、その一方で高速装置は他方の部品に連結される。
【００２９】
当然ながら、本発明は、図面を参照して説明された実施形態に限定されるものではなく、本発明の関連から逸脱しない代替案が想定されてもよい。
【図１】
0006696905.tif 000002
【図２】
0006696905.tif 000003
【図３】
0006696905.tif 000004
【図４】
0006696905.tif 000005